(57)【特許請求の範囲】
【請求項１】
撮影機構をユニット本体に内蔵したレンズ付きフイルムユニットにおいて、
前記ユニット本体に製造時に収納され、種々のプリント条件のうちから選択された複数のプリント条件及び前記選択された各プリント条件とドットマークの個数との対応関係をプリント装置に対して直接的または間接的に示す１本の写真フイルムに共通したフイルムデータが予め記録された未露光の写真フイルムと、撮影時に外部から操作され、撮影コマに指定するプリント条件に対応した位置とされる操作部材と、写真フイルム上に設けた撮影コマ毎のマークエリア内に、前記操作部材の位置に応じた個数のドットマークを撮影毎に写し込むマーク露光装置とを備え、前記フイルムデータと撮影コマ毎の前記ドットマークの個数によって撮影コマ毎のプリント条件が決まることを特徴とするレンズ付きフイルムユニット。
【請求項２】
前記写真フイルムは、乳剤面と反対側のベース面に磁気記録層が形成され、前記フイルムデータは、前記磁気記録層に予め設定された所定の磁気データトラックに磁気記録されていることを特徴とする請求項１記載のレンズ付きフイルムユニット。
【請求項３】
前記フイルムデータは、光学的に潜像として記録されていることを特徴とする請求項１記載のレンズ付きフイルムユニット。
【請求項４】
前記複数のプリント条件は、それぞれ互いにサイズの異なる所定のトリミング範囲を前記撮影レンズで露光された撮影コマの露光範囲内からトリミングし、このトリミング範囲の大きさに応じたプリント倍率で拡大するものであることを特徴とする請求項１ないし３のいずれか１項に記載のレンズ付きフイルムユニット。
【請求項５】
前記操作部材の操作に連動して、フインダの視野範囲を選択したプリント条件に応じたものに切り替える視野切替手段を備えていることを特徴とする請求項４記載のレンズ付きフイルムユニット。
【請求項６】
前記複数のプリント条件は、長方形の露光範囲の短辺及び長辺に沿った各方向のプリント倍率の比率がそれぞれ異なるものであることを特徴とすることを特徴とする請求項１ないし３のいずれか１項に記載のレンズ付きフイルムユニット。
【請求項７】
プリンタによるプリント写真の作成時に、種々のプリント条件のうちから選択された複数のプリント条件及び前記選択された各プリント条件とドットマークの個数との対応関係を直接的または間接的に示す１本の写真フイルムに共通したフイルムデータを写真フイルムから検出した際には、前記フイルムデータと撮影コマ毎の前記ドットマークの個数によって決まるプリント条件のプリント写真をそれぞれの撮影コマから作成するように前記プリンタを制御することを特徴とするプリント写真の作成方法。
【請求項８】
前記プリンタは、前記撮影コマの画像を光電変換して画像データとして取り込み、この画像データに基づいて印画紙に画像を光学的に露光するデジタルプリンタが用いられ、前記画像データに対して前記プリント条件に応じた処理を行うことを特徴とする請求項７記載のプリント写真作成方法。
【発明の詳細な説明】
【０００１】
【発明の属する技術分野】
本発明は、レンズ付きフイルムユニット及びプリント写真の作成方法に関するものである。
【０００２】
【従来の技術】
標準サイズとパノラマサイズとを切り替えて撮影できるようにしたレンズ付きフイルムユニットが市販されている。このレンズ付きフイルムユニットでは、露光ユニットの後部に外部からの操作によって回動される２枚の遮光板を設け、パノラマサイズの撮影時には露光範囲を画定するアパーチャの幅を狭めるようにしてある。また、近接撮影用のレンズを光軸に出し入れすることにより、標準撮影とマクロ撮影とを切り換えできるようにしたレンズ付きフイルムユニットも市販されている。
【０００３】
さらに、焦点距離が長い撮影レンズを備え、望遠撮影が行えるようにしたレンズ付きフイルムユニットも知られている。このレンズ付きフイルムユニットでは、撮影レンズから写真フイルムまでの光路長が長くなるため、そのままではレンズ付きフイルムユニットの厚みが大きくなってしまい携行性等を損なってしまうため、２枚のミラーによって撮影レンズ以降の光路をＺ字形に折り曲げた光学系を採用している。
【０００４】
一方、写真フイルムの全ベース面に透明な磁気記録層を設けたアドバンスト・フォト・システムのＩＸ２４０型式の写真フイルムカートリッジを用いるカメラでは、露光範囲は同じでも、標準のＨサイズ（８９×１５８ｍｍ）の他に、パノラマサイズ（８９×２５４ｍｍ），Ｃサイズ（８９×１２７ｍｍ）等のアスペクト比（プリントサイズ）の異なるプリント写真を指定するデータや、プリント枚数を指定するデータからなるプリント条件を磁気記録層に磁気記録しておくものが市販されている。
【０００５】
また、このＩＸ２４０型式の写真フイルムを用いるアドバンスト・フォト・システムでは、光学マークを撮影コマの所定の位置に写し込むことにより、アスペクト比が異なるプリント写真の作成を指定することができる機能が盛り込まれている。
【０００６】
【発明が解決しようとする課題】
ところで、ＩＸ２４０型式の写真フイルムに光学マークを写し込むことにより受けられるプリントサービスは、上述のように３種類のプリント写真の作成に限られている。このため、レンズ付きフイルムユニットで多様なプリントサービスを実現するために、上述のように磁気記録装置を設けることも考えられるが、磁気記録装置は高価であり、低価格を特徴としたレンズ付きフイルムユニットでは実際には不可能であった。また、露光範囲のサイズを変えたり、近接撮影を可能にするための切り替え機構は比較的に低コストであるが、これ以上に複雑な切り替え機構、例えば焦点距離が異なる撮影レンズを切り替える機構を内蔵するのは困難である。
【０００７】
さらに、上述のように長焦点の撮影レンズを望遠撮影を行うことができるレンズ付きフイルムユニットは、光路を折り曲げることによって携行性を損なわないようにしているが、実際には通常のレンズ付きフイルムユニットよりも大型であり携行性が良いとはいえない。さらに、光路を折り曲げるための光学系を内蔵することで製造コストの上昇を招いていた。
【０００８】
一方、現像と同時にプリント作成依頼した際に、現像所に対して各種のプリント条件を指示することは可能であるが、適切な指示を与えなくてはならず面倒である。また、現像所では、写真フイルム毎あるいは撮影コマ毎に指示されたプリント条件に応じて、プリント処理を設定しなくてはならず作業が煩雑になってしまう。
【０００９】
本発明は、上記問題を解決するためのものであり、その目的は、製造コストの上昇を抑え、また簡単な構成で多様なプリントサービスが受けられるレンズ付きフイルムユニットを提供し、またプリント処理の作業性を高くすることができるプリント写真作成方法を提供することにある。
【００１０】
【課題を解決するための手段】
上記目的を達成するために、本発明のレンズ付きフイルムユニットでは、ユニット本体に製造時に収納され、種々のプリント条件のうちから選択された複数のプリント条件及び前記選択された各プリント条件とドットマークの個数との対応関係をプリント装置に対して直接的または間接的に示す１本の写真フイルムに共通なフイルムデータが予め記録された未露光の写真フイルムと、撮影時に外部から操作され、撮影コマ毎に指定するプリント条件に対応した位置とされる操作部材と、写真フイルム上に設けた撮影コマ毎のマークエリア内に、前記操作部材の位置に応じた個数のドットマークを撮影毎に写し込むマーク露光装置とを備え、前記フイルムデータと撮影コマ毎の前記ドットマークの個数によって撮影コマ毎のプリント条件が決まるようにしたものである。
【００１１】
また、本発明のプリント写真作成方法では、種々のプリント条件のうちから選択された複数のプリント条件及び前記選択された各プリント条件とドットマークの個数との対応関係を直接的または間接的に示す１本の写真フイルムに共通なフイルムデータを写真フイルムから検出した際には、前記フイルムデータと撮影コマ毎の前記ドットマークの個数によって決まるプリント条件のプリント写真をそれぞれの撮影コマから作成するように前記プリンタを制御するようにしたものである。
【００１２】
【発明の実施の形態】
図２に、本発明を実施したレンズ付きフイルムユニットの外観を示す。このレンズ付きフイルムユニットは、各種の撮影機構が組み込まれるとともに、現在市販されているＩＸ２４０型式の写真フイルムカートリッジが予め装填されたユニット本体２と、このユニット本体２を部分的に覆うラベル３とから構成されている。
【００１３】
また、このレンズ付きフイルムユニットは、現在市販されている同種の写真フイルムカートリッジを用いた通常のレンズ付きフイルムユニットと同じ焦点距離２４ｍｍの１組の撮影レンズ４を用いて、この撮影レンズ４の焦点距離に応じた本来の撮影範囲をＨサイズの印画紙にプリントにした標準プリント写真の他に、この焦点距離２４ｍｍを基準にして疑似的に２倍及び３倍の焦点距離の撮影レンズで望遠撮影をしたものに相当するＨサイズの２倍望遠プリント写真及び３倍望遠プリント写真との作成が撮影時に選択、指定できる。
【００１４】
レンズ付きフイルムユニットの前面には、撮影レンズ４，ファインダ５の対物側窓６，ストロボ発光を行うストロボ発光部７，ストロボユニットのオン，オフの切り換えを行う充電操作レバー８，疑似的な望遠倍率を選択するための操作つまみ９が設けられている。また、レンズ付きフイルムユニットの上面には、シャッタボタン１０，残り撮影可能コマ数を表示するカウンタ窓１１，ストロボ充電の完了を表示する表示用ライトガイド１２が突出される開口１３が設けられている。さらに、レンズ付きフイルムユニットの背面側からは、１コマの撮影ごとに回転操作される巻上げノブ１４が露呈され、対物側窓６に対面する位置にファインダ５の接眼側窓（図示省略）が設けられている。
【００１５】
ラベル３は、その裏面に接着剤が塗布されてユニット本体２の中央部分に貼付されており、各部に設けた開口から撮影レンズ４，ファインダ５，カウンタ窓１１等を外部に露呈させている。このラベル３には、このレンズ付きフイルムユニットが望遠倍率を切り替えて撮影を行うことができるようにしたものであることを示す表示１５が記されている。また、ラベル３には、操作つまみ９の位置を案内するための「１×」，「２×」，「３×」といった表示１６ａ〜１６ｃが記されている。
【００１６】
操作つまみ９は、スライド自在とされており、これを表示１６ａに示される標準位置（「１×」）にセットした場合には、望遠倍率が１倍の標準プリント写真が得られる標準モードとされ、また表示１６ｂに示される２倍望遠位置（「２×」）にセットした場合には望遠倍率が２倍の２倍望遠プリント写真が得られる２倍望遠モードとされ、表示１６ｃに示される３倍望遠位置（「３×」）にセットした場合には望遠倍率が３倍の３倍望遠プリント写真が得られる３倍望遠モードとされる。
【００１７】
ＩＸ２４０型式の写真フイルムカートリッジを図３に示す。写真フイルムカートリッジ１７は、写真フイルム１８と、この写真フイルム１８を収納するカートリッジ１９と、カートリッジ１９に貼付されたラベル２０とから構成されている。カートリッジ１９は、その内部に回転自在に組み込まれたスプール２１，遮光蓋２２，ディスク板２３、さらにはフイルム送り出し機構やスプールロック機構を構成する他の部品等から構成されている。
【００１８】
写真フイルム１８は、その後端が着脱自在にスプール２１に取り付けられており、例えばフイルム現像時にはスプール２１から外されてカートリッジ１９から分離される。遮光蓋２２は、写真フイルム１８をカートリッジ１９の外部に送り出すための送出口２４を開閉する。写真フイルムカートリッジ１７の保管時等では、写真フイルム１８は、スプール２１に巻き付けられて、その先端までがカートリッジ１９の内部に収納され、この状態で遮光蓋２１を閉じることによってカートリッジ１９の内部が光密状態にされる。また、遮光蓋２２を開いた状態ではスプール２１のロックが解除され、このスプール２１を時計方向に回転させると、送出口２４から写真フイルム１８の先端がカートリッジ１９の外部に送り出される。
【００１９】
ラベル２０には、写真フイルム１８の品種，撮影可能コマ数，カートリッジＩＤ番号をコード化して表したコード表示２０ａや、このコード表示を２０ａを表したバーコード２０ｂ等が記されている。また、ラベル２０には、望遠切替用のレンズ付きフイルムユニットに用いられる品種であることを表した品種表示２０ｃが記されている。
【００２０】
図４（ａ）に示すように、写真フイルム１８の先端側と後端側の非撮影領域には、製造ロット番号を数字及び文字で表した製造ロット表示２６と、９桁の数字でフイルムＩＤ番号を表したフイルムＩＤ表示２７と、製造ロット番号を表したバーコード２８と、フイルムＩＤ番号と撮影可能コマ数を２進化コードで表したバーコード２９とが製造時に潜像としてサイドプリントされている。また、この写真フイルム１８では、一定のサイズに区画された露光範囲３０が予め設定されており、１つの撮影コマに１つの露光範囲３０が対応する。さらに、露光範囲３０の近傍にフレーム番号表示３１がサイドプリントされている。これらの製造ロット表示２６，フイルムＩＤ表示２７，各バーコード２８，２９，フレーム番号表示３１は、写真フイルム１５を現像処理することによって顕在化する。
【００２１】
フイルムＩＤ表示２７及びバーコード２９に表されるフイルムＩＤ番号は、写真フイルム１８毎に異なるもので、それが収納されるカートリッジ１９のカートリッジＩＤ番号と同一のものが付与される。これにより、カートリッジ１９から外された写真フイルム１８と、カートリッジ１９とを対応づけすることが可能にされている。
【００２２】
また、写真フイルム１８には、その乳剤面と反対側のベース面に透明な磁気記録層が形成され、非撮影領域には、各種のデータを磁気記録するための磁気データトラックが設けられている。この磁気データトラックには、図４（ｂ）に示すように、写真フイルム１８に関するデータや現像所が行った現像処理，プリント処理に関するデータを書き込むためのPhotoFinishing Leader Dataトラック（以下、ＰＬＤトラックという）３２及びPhotoFinishing Frame Specific Dataトラック（以下、ＰＦＳＤトラックという）３３と、カメラに設けられた磁気ヘッドで撮影に関するデータやプリント処理時のプリント枚数等を指定するデータを書き込むためのCamera Leader Dataトラック（以下、ＣＬＤトラックという）３４及びCamera Frame Specific Dataトラック（以下、ＣＦＳＤトラックという）３５と、撮影で使用したカメラのＩＤ番号等を書き込むためのCustomer Device Dataトラック（以下、ＣＤＤトラックという）３６とが設定されている。
【００２３】
上記の各磁気データトラックのうちＰＬＤトラック３２とＣＬＤトラック３４は、写真フイルム１８の先端部に設けられ、１本の写真フイルム１８に共通したデータが書き込まれる。例えば、ＰＬＤトラック３２には、フイルムの現像処理に関する指示データが製造時にフイルムメーカによって書き込まれたり、現像所で行った実際の現像処理に関する現像データ等が書き込まれる。また、ＣＬＤトラック３４には、作成されるプリント写真のアスペクト比（プリントサイズ）を全撮影コマに対して一律に指定するときに、このサイズを指定するＰＡＲ（Print Aspect Ratio）データがカメラによって書き込まれる。
【００２４】
ＰＦＳＤトラック３３とＣＦＳＤトラック３５は、撮影コマ毎に設けられており、それぞれ撮影コマ毎の情報が書き込まれる。例えば、ＰＦＳＤトラック３３には、プリント処理時に行った色補正の補正データ等が書き込まれ、ＣＦＳＤトラック３５には、撮影時に指定したプリント枚数やＰＡＲデータが書き込まれる。
【００２５】
さらに、図４（ａ）に示されるように、各撮影コマには、光学マークエリア３７が設けられている。この光学マークエリア３７は、Ｈサイズの標準プリント写真（８９×１５８ｍｍ）の他に、アスペクト比の異なるパノラマプリント写真（８９×２５４ｍｍ），Ｃサイズプリント写真（８９×１２７ｍｍ）の作成を指定するための光学マーク（以下、この光学マークをＰＡＲマークという）を光学的に写し込むためエリアであるが、後述するように、この例のレンズ付きフイルムユニットでは、この光学マークエリア３７にＰＡＲマークと同形態の光学マーク（以下、倍率マークという）を写し込むことにより、標準プリント写真の他に，２倍望遠プリント写真，３倍望遠プリント写真の作成を指定するのに利用する。
【００２６】
現像処理及びプリント処理の際には、各トラック３２〜３６，顕在化されたバーコード２８，２９や光学マークエリア３７内の光学マークが現像装置及びプリンタに内蔵された磁気ヘッド及びフォトセンサによって読み取られ、得られた各種のデータに基づいた処理が行われる。
【００２７】
このように構成された写真フイルムカートリッジ１７は、一般に市販されたり、通常のレンズ付きフイルムユニット等に装填されたりするが、上記のレンズ付きフイルムユニットに装填されるものについては、その製造時にこのレンズ付きフイルムユニットに特有なプリント条件に基づいたプリント写真を作成するため写真フイルムであることを示すフイルムデータが写真フイルム１８に記録される。
【００２８】
この例では、フイルムデータは、標準プリント写真，２倍望遠プリント写真，３倍望遠プリント写真を作成するための品種であることを表した望遠切替品種データによって間接的に表されており、この望遠切替品種データは、製造段階でＰＬＤトラック３２に磁気記録される。また、望遠切替品種データは、現像所やＤＰＥ店に設置されたプリンタに登録され、この望遠切替品種データが検出された際には、倍率マークに応じて標準プリント写真，２倍望遠プリント写真，３倍望遠プリント写真を作成するための品種であることが識別されるようにされる。
【００２９】
また、プリント条件としては、撮影コマ毎に写し込まれる倍率マークに応じたトリミング範囲を撮影レンズ４で露光された撮影コマの露光範囲３０内からトリミングし、このトリミング範囲の大きさに応じたプリント倍率で拡大してプリント写真を作成することである。そして、倍率マークに応じたトリミング範囲とは、標準プリント写真，２倍望遠プリント写真，３倍望遠プリント写真を作成するためのものであって、それぞれ露光範囲３０の全範囲、露光範囲３０内の面積比で１／４，１／９の２倍望遠トリミング範囲，３倍望遠トリミング範囲とされている。
【００３０】
なお、望遠倍率は１倍，２倍，３倍の組み合わせはこれに限られない。例えば、１倍，１．５倍，３倍や、１倍，２倍，４倍といった組み合わせとしてもよい。また、１倍の望遠倍率を含めずに１．５倍，２倍．３倍といった組み合わせにしてもよく、３種類の望遠倍率を選択する必要がない場合には、例えば１倍と２倍の２種類の望遠倍率を選択できるようにすることもできる。そして、このような望遠倍率の組み合わせ毎に品種データを決めれば、上記のような望遠倍率の異なる組み合わせの各種タイプのレンズ付きフイルムユニットを混在させることができるのはいうまでもない。
【００３１】
図５に示すように、露光範囲３０毎に設けられた光学マークエリア３７に写し込まれる倍率マーク３８は、第１ビット３８ａと第２ビット３８ｂとを組み合わせたものである。例えば第１ビット３８ａと第２ビット３８ｂが両方が写し込まれ、倍率マーク３８が２ビットとされている場合には、その撮影コマから２倍望遠プリント写真を作成し、また第１ビット３８ａだけが写し込まれ、倍率マーク３８が１ビットとされている場合には、その撮影コマから３倍望遠プリント写真を作成し、さらにいずれのビットも写し込まれず、倍率マーク３８が０ビットとされている場合には、標準プリント写真を作成するようにプリント条件が決められている。
【００３２】
なお、光学マークとしてのＰＡＲマークと倍率マーク３８とは、前述のように同じ形態のものであるが、望遠切替用の写真フイルム１８には、望遠切替品種データが写真フイルム１８に記録されているため、この写真フイルム１８の光学マークエリア３７に写し込まれている光学マークを倍率マーク３８として識別し、扱うことが可能である。
【００３３】
図６に示すように、レンズ付きフイルムユニットは、写真フイルムカートリッジ１７が装填される本体基部４０と、この本体基部４０の前面に組み付けられる露光ユニット４１及びストロボユニット４２と、本体基部４０の前面側及び背面側を覆うように組み付けられる前カバー４３及び後カバー４４とともに、視野切替手段と、マーク露光手段とから構成されている。
【００３４】
本体基部４０の中央部には、撮影レンズ４からの光を規制するアパーチャ４５が形成され、このアパーチャ４５によって予め所定のサイズに区画された露光範囲３０に被写体像が露光される。このアパーチャ４５の周囲には、前方に突出しその前面が開口された遮光筒４６が設けられ、露光ユニット４１から写真フイルム１８までの間の撮影光路を遮光する。
【００３５】
遮光筒４６を挟む本体基部４０の両端に、製造段階でカートリッジ１９と、このカートリッジ１９から引き出されてロール状にされた未露光の写真フイルム１８とがそれぞれ収納されるカートリッジ室４０ａとフイルムロール室４０ｂとが一体に形成されている。
【００３６】
カートリッジ室４０ａの上部には、巻上げノブ１４と、カートリッジ１９の遮光蓋２２を閉じる遮光蓋閉鎖機構４７とが組み込まれている。巻上げノブ１４は、その下面に形成された駆動軸がカートリッジ１９のスプール２１に係合される。そして、１コマの撮影ごとに図中反時計方向に回転操作することにより、スプール２１で写真フイルム１９の露光済みの部分をカートリッジ１９内に巻き上げる。遮光蓋閉鎖機構４７は、巻上げノブ１４の回転数をカウントし、写真フイルム１８が全てカートリッジ１９内に巻き込まれる分だけ巻上げノブ１４が回転操作されると、遮光蓋２２で送出口２４を閉鎖する。
【００３７】
露光ユニット４１は、シャッタ羽根を含むシャッタ機構４１ａ（図９参照），フイルム巻き止め機構，ファインダ５の対物レンズ５ａ及び接眼レンズ（図示せず）をベース部４８に組み付けたものである。また、ベース部４８の前面には、１組の撮影レンズ４がレンズホルダ４９によって保持されている。この露光ユニット４１は、遮光筒４６の前面に組み付けられる。
【００３８】
また、露光ユニット４１には、ストロボユニット４２の充電完了を表示する表示用ライトガイド１２が上下方向でスライド自在に取り付けられている。この表示用ライトガイド１２は、充電操作レバー８の上方へのスライド操作に連動してレンズ付きフイルムユニットの上面から外部に突出する。
【００３９】
ストロボユニット４２は、メインコンデンサ５０等の各種電気部品が取り付けられてストロボ回路が形成されたプリント基板５１と、放電管５２（図９参照）やリフレクタ，拡散板等をユニット化してプリント基板５１に取り付けたストロボ発光部７等とからなる。プリント基板５１の下部には、ストロボユニット４２の電源として用いられる電池５３を保持するとともに、ストロボ回路に電気的に接続する金属接片５４が取り付けられている。また、プリント基板５１の前面側には複数の接点部５５ａ，５６ａが設けられている。これらの接点部５５ａ，５６ａの前方には、充電操作レバー８が上方のオン位置に向けてスライドされることにより、接点部５５ａ，５６ａに接触する接片５５ｂ，５６ｂが配置されている。
【００４０】
接点部５５ａと接片５５ｂは、充電スイッチ５５を構成しており、接点部５６ａと接片５６ｂは、発光選択スイッチ５６を構成している。充電スイッチ５５は、接片５５ｂが一対の接点部５５ａに接触することによりＯＮとなり、この間に、メインコデンサ５０が充電される。発光選択スイッチ５６は、接片５６ｂが一対の接点部５６ａに接触することによりＯＮとなり、ＯＮとなっているときにストロボ発光を許容し、ＯＦＦではストロボ発光を禁止する。
【００４１】
また、プリント基板５１には、ストロボ発光用のシンクロスイッチ５７が設けられている。このシンクロスイッチ５７は、上下２枚の弾性自在な接片５７ａ，５７ｂからなり、シャッタ羽根が全開した際に、このシャッタ羽根と一体に形成された押圧部（図示省略）で上側の接片５７ａが下方に向けて弾性変形され、下側の接片５７ｂに接触することによりＯＮとなる。
【００４２】
プリント基板５１の背面側には、充電完了時に発光し表示用ライトガイド１２を介して充電完了を知らせる表示用ＬＥＤ５８と、倍率マーク３８を写し込む際の光源としての写し込み用ＬＥＤ５９（図９参照）とが取り付けられている。写し込み用ＬＥＤ５９は、充電操作レバー８の位置に関係なくシンクロスイッチ５７がＯＮとなっている間に発光する。
【００４３】
後カバー４４は、本体基部４０の背面側に組み付けられて本体基部４０内を光密に覆う。また、後カバー４４の下方には、カートリッジ室４０ａとフイルムロール室４０ｂとの下面を覆う底蓋４４ａ，４４ｂが設けられている。これらの底蓋４４ａ，４４ｂは、後カバー４４に対して屈曲自在となるように形成されている。底蓋４４ａは、カートリッジ室４０ａから写真フイルムカートリッジ１７を取り出す際の取り出し蓋を兼ねている。
【００４４】
図７に示すように、前カバー４３は、前カバー本体６０と、この前カバー本体６０の前面に取り付けられる前面パネル６１とからなり、前カバー本体６０には、前面パネル６１に形成された対物側窓６と同形状のファインダ開口６２が形成されている。また、前カバー本体６０と前面パネル６１との間には、充電操作レバー８と、視野切替板６３と、トグルバネ６４とが組み込まれている。この視野切替板６３，トグルバネ６４と対物側窓６によって、ファインダ５の視野範囲を切り替える視野切替手段が構成されている。
【００４５】
視野切替板６３は、略円板形状に成形されたもので、中央部分に形成された円形の開口６５が前カバー本体６０の前面に形成されたレンズ鏡筒６６の外周に嵌めこまれることにより、前カバー本体６０に回動自在に取り付けられる。視野切替板６３の前面下部には、ボス６７が一体に形成されており、このボス６７には、前面パネル６１の下方に形成された円弧形状のスリット６８を介して操作つまみ９が取り付けられる。
【００４６】
視野切替板６３の外周部分には、ファインダ５の視野範囲を規制する２倍望遠用ファインダ枠７０と、３倍望遠用ファインダ枠７１とが形成されている。これらの各ファインダ枠７０，７１は、操作つまみ９によって視野切替板６３が回動されることにより対物レンズ５ａの前面で挿脱される。また、これらの各ファインダ枠７０，７１との間には、標準ファインダ枠である対物側窓６を開放する切欠部７２が形成されている。
【００４７】
本実施形態のレンズ付きフイルムユニットでは、焦点距離２４ｍｍの撮影レンズ４を用いて、露光範囲３０の全域に露光された画像をＨサイズのプリント写真に引き伸ばす場合を標準モードとしており、標準ファインダ枠である対物側窓６は、この標準モードでプリントされる撮影範囲がファインダ５で観察されるようにファインダ５の視野範囲を規制する。したがって、対物側窓６に切欠部７２が対面しているときには、ファインダ５の視野範囲は、標準モードに対応した範囲、すなわち焦点距離２４ｍｍの撮影レンズ４で露光範囲３０の全域に露光される撮影範囲を観察できる標準視野範囲とされる。
【００４８】
２倍望遠用ファインダ枠７０は、対物側窓６のサイズに対してアスペクト比が同じで縦横の長さが１／２のサイズに開口されている。これにより、この２倍望遠用ファインダ枠７０が対物側窓６に対面しているときには、ファインダ５の視野範囲は、標準視野範囲に対して面積比で１／４の中央部分とされ、２倍望遠モードに対応した２倍望遠視野範囲となる。すなわち、２倍望遠視野範囲内には、焦点距離４８ｍｍの撮影レンズを用いた場合に相当した撮影範囲が観察される。
【００４９】
同様に、３倍望遠用ファインダ枠７１は、対物側窓６のサイズに対してアスペクト比が同じで縦横の長さが１／３のサイズに開口されており、これが対物側窓６に対面しているときには、ファインダ５の視野は、標準視野範囲に対して面積比で１／９の中央部分とされ、３倍望遠モードに対応した３倍望遠視野範囲となる。そして、３倍望遠視野範囲内には、焦点距離７２ｍｍの撮影レンズを用いた場合に相当した撮影範囲が観察される。
【００５０】
操作つまみ９を標準位置にセットした場合には、切欠部７２が対物側窓６に対面した位置に視野切替板６３がセットされる。また、操作つまみ９を２倍望遠位置にセットした場合には、２倍望遠用ファインダ枠７０が対物側窓６に対面され、操作つまみ９を３倍望遠位置にセットした場合には、３倍望遠用ファインダ枠７１が対物側窓６に対面される。なお、トグルバネ６４は、視野切替板６３を各フレーム枠７０，７１，切欠部７２が対物側窓６に対面した位置に確実にセットするために設けられている。
【００５１】
視野切替板６３の開口６５の外周には、開口６５の中心からの距離が変化させられた所定の形状のカム溝７４が形成されている。このカム溝７４には、本体基部４０に回動自在に取り付けられた回動レバー７５の一端７５ａが挿入される。図８に示すように、回動レバー７５は、本体基部４０の遮光筒４６の上面に突設されたピン７６に軸支される。回動レバー７５の一端７５ａは、露光ユニット４１のファインダ５の下方を通り、前カバー本体６０のファインダ開口６２に連なって形成された切欠６２ａ（図７参照）を通して、視野切替板６３のカム溝７４に挿入される。これにより、視野切換板６３が回動すると、カム溝７４の形状にしたがって回動レバー７５がピン７６を中心にして回動する。
【００５２】
遮光筒４６の下方には、フイルム巻上げ方向に沿って凹部７８が形成されており、この凹部７８内には倍率マーク３８を写真フイルム１８に写し込むための第１及び第２開口７９ａ，７９ｂが形成されている。また、凹部７８内には、遮光性を有する薄肉のプラスチックで形成され、特定のスライド位置で各開口７９ａ，７９ｂを開放するための開口８０ａが形成されたマーク切替板８０が左右方向でスライド自在となるように配される。マーク切替板８０の端部に形成された穴８０ｂには、スライドレバー８１の一端に形成されたピン８１ａが係合する。
【００５３】
マーク切替板８０の前面側には、写し込み用ライトガイド８３と遮光カバー８４とが取り付けられる。スライドレバー８１は、遮光カバー８４の前面に左右方向でスライド自在に組み付けられるとともに、一端が遮光カバー８４に掛けられたコイルバネ８６に掛けられることにより、図中右方に向けて付勢されている。また、スライドレバー８１の他端にはフォーク部８１ｂが形成され、このフォーク部８１ｂは、遮光筒４６の側方を回り込むようにして延設された回動レバー７５の他端７５ｂに係合している。これにより、マーク切替板８０は、回動レバー７５の回動に連動してスライドするスライドレバー８１により左右方向にスライドされるとともに、コイルバネ８６の付勢によって回動レバー７５の一端７５ａがカム溝７４の内壁面に常に接触することによって視野切替板６３の回動がマーク切替板８０に確実に伝達される。
【００５４】
プリント基板５１の背面側に取り付けられた写し込み用ＬＥＤ５９から放出された光は、遮光カバー８４の筒部８４ａを通して写し込み用ライトガイド８３の一端に入射され、これの内面反射によりガイドされて各開口７９ａ，７９ｂに向けて光を照射する。なお、符号８５は、プリント基板５１と筒部８４ａとの間に僅かに潰れるように挟み込まれることによって、写し込み用ＬＥＤ５９の根元から筒部８４ａ内に外光が入射することと、写し込み用ＬＥＤ５９の光がユニット本体２内に漏れ出ることを防止する遮光部材である。
【００５５】
これらのカム溝７４，回動レバー７５，各開口７９ａ，７９ｂ，マーク切替板８０，スライドレバー８１，ライトガイド８３，遮光カバー８４，コイルバネ８６により、操作つまみ９によって選択された望遠倍率に応じた倍率マーク３８の写し込み形態を変えるマーク切替機構が構成されている。
【００５６】
このマーク切替機構により２倍望遠用ファインダ枠７０が対物側窓６に対面するように操作つまみ９を操作すると、マーク切替板８０は、図８で左方に移動され、第１開口７９ａから退避するとともに、開口８０ａが第２開口７９ｂに対面する位置にセットされる。これにより、第１及び第２開口７９ａ、７９ｂが両方とも開放されるので、光学マークエリア３７には第１ビット３８ａと第２ビット３８ｂからなる２ビットの倍率マーク３８が写し込まれる。また、３倍望遠用ファインダ枠７１が対物側窓６に対面するように操作つまみ９を操作すると、マーク切替板８０は図８で右方に移動され、開口８０ａが第１開口７９ａに対面し、第２開口７９ｂを塞ぐ位置にセットされる。これにより、光学マークエリア３７には第１ビット３８ａだけの１ビットの倍率マーク３８が写し込まれる。
【００５７】
さらに、切欠部７２が対物側窓６に対面するように操作つまみ９を操作すると、マーク切替板８０は各開口７９ａ，７９ｂを両方とも塞ぐ位置にスライド移動される。これにより、光学マークエリア３７にはビットが１個も写し込まれず、倍率マーク３８が０ビットされる。
【００５８】
図９にレンズ付きフイルムユニットの回路を示すように、ストロボユニット４２は、前述したメインコンデンサ５０，放電管５２，電池５３，充電スイッチ５５，発光選択スイッチ５６，シンクロスイッチ５７，表示用ＬＥＤ５８の他に、発振トランジスタ８８，発振トランス８９，トリガコンデンサ９０，トリガコイル９１等から構成されている。
【００５９】
発振トランジスタ８８及び発振トランス８９は、電池５３の低電圧を高電圧に変換する周知のブロッキング発振回路を構成しており、充電スイッチ５５がＯＮとなっている間に作動して、発振トランス８９の二次コイル８９ｂに一次コイル８９ａとの巻線比に応じた高電圧を発生し、メインコンデンサ５０とトリガコンデンサ９０とを充電する。また、表示用ＬＥＤ５８は、この充電中に、三次コイル８９ｃの両端子から印加される順方向電圧がメインコンデンサ５６の充電電電に比例的に大きくなることにより、充電完了時に発光する。
【００６０】
シャッタ機構４１ａ内のシャッタ羽根によってシンクロスイッチ５７がＯＮとなると、発光選択スイッチ５６がＯＮとなっている場合には充電されたトリガコデンサ９０が放電し、このときにトリガコイル９１で発生するトリガ電圧が放電管５２に印加されることにより、メインコンデンサ５０が放電管５２内で放電する。これにより、放電管５２が発光して、ストロボ光がストロボ発光部７から照射される。
【００６１】
写し込み用ＬＥＤ５９を駆動するための駆動回路９４は、上述のストロボ回路に組み込まれており、前述のマーク切替機構とともにマーク露光手段を構成している。この駆動回路９４は、ストロボ発光の有無、充電スイッチ５５及び発光選択スイッチ５６のＯＮ，ＯＦＦ、メインコンデンサ５０の充電電圧等にかかわらず、シンクロスイッチ５７がＯＮとなると第１トランジスタ９４ａがＯＮとなる。第１トランジスタ９４ａがＯＮとなると、充電スイッチ５５と並列に接続された第２トランジスタ９４ｂがＯＮとなって、ストロボ回路のブロッキング発振回路を作動する。
【００６２】
写し込み用ＬＥＤ５９は、一次コイル８９の一方の端子とグランドとの間、すなわち発振トランジスタ８８のコレクタ端子及びエミッタ端子に第１トランジスタ９４ａを介して接続されており、第１トランジスタ９４ａがＯＮとなっている間に発振トランジスタ８８のコレクタ・エミッタ間電圧が印加される。発振トランジスタ８８のコレクタ・エミッタ間電圧は、ブロッキング発振回路の作動中にその発振動作に同期してパルス状に６〜７Ｖ程度までに上昇するから、写し込み用ＬＥＤ５９は、シャッタ羽根の作動毎、すなわち撮影毎にシンクロスイッチ５７がＯＮとなっている間に発光する。なお、この回路の詳細については、本出願人により提案されている特開平８−２４８５７２号公報に記載されている。また、写し込み用ＬＥＤ５９を駆動するための構成、及び倍率マーク３８を写し込むための構成は、これに限られない。
【００６３】
上記のように構成されたレンズ付きフイルムユニットは、視野切替板６３に形成されたフレーム枠と、ラベル３の表示内容の他は、ＰＡＲマークを写し込みアスペクト比の異なるプリント写真を作成するようにしたレンズ付きフイルムユニットと共通の構成部材とすることが可能であり、製造ラインの変更や製造設備の追加を少なくし、製造コストの上昇を抑えることができる。
【００６４】
また、望遠切替品種データが予め書き込まれた写真フイルム１８を用いるとともに、望遠倍率に応じた倍率マーク３８を写し込むようにすることで、焦点距離が４８ｍｍ，７２ｍｍの撮影レンズで撮影したことに相当するプリント写真を作成するようにすることができるようになるから、撮影レンズ４から写真フイルム１５までの光路長を長くする必要がなく、また撮影レンズを切り替えるための複雑な機構がいらなくなるため、レンズ付きフイルムユニットの構成を複雑化させず小型、薄型を維持することができる。
【００６５】
図１０は、写真フイルム１８からプリント写真を作成するプリンタの一例を示すものである。このプリンタは、通常の写真フイルムや、ＰＡＲマークが記録された写真フイルム１８からそれぞれ所定のプリント写真を作成することができるデジタルプリンタの制御プログラムを一部変更・追加することにより、写真フイルム１８から倍率マーク３８に応じたプリント写真を作成できるようにしたものである。
【００６６】
このデジタルプリンタは、大別して入力部１０１と出力部１０２とからなり、入力部１０１は、各磁気データトラックのデータを読み取る磁気ヘッド１０４と、バーコード２８，２９や光学マークエリア３７内を読み取るフォトセンサ１０５と，写真フイルム１８の各露光範囲３０から画像を読み取るスキャナ１０６と、画像メモリ１０７と、画像処理回路１０８，写真フイルムカートリッジ１７がセットされると、これのカートリッジ１９から現像済の写真フイルム１８をスキャナ１０６に向けて搬送する搬送機構（図示省略）、及びこれらを制御するコントローラ１０９等とからなる。
【００６７】
写真フイルム１８の搬送中に、磁気ヘッド１０４は、写真フイルム１８の各磁気データトラックから各種のデータを読み取る。これら読み取られた各データは、コントローラ１０９に送られ、画像処理回路１０８による画像処理の制御に用いられる。また、この写真フイルム１８の搬送中に、フォトセンサ１０５は、顕在化した各バーコード２８，２９を読み取るとともに、光学マークエリア３７内の光学マーク、すなわちＰＡＲマークあるいは倍率マーク３８を読み取る。このフォトセンサ１０５の読み取り結果は、コントローラ１０９に送られ、各磁気データトラックからのデータとともに画像処理の制御に利用される。
【００６８】
スキャナ１０６は、フイルムキャリア，フイルムキャリアにセットされている撮影コマの露光範囲３０を照明する照明部，撮影コマの露光範囲３０を読み取るＣＣＤ、撮影コマの画像をＣＣＤ上に結像させるレンズ等とから構成されている。このスキャナ１０６は、写真フイルム１８が１コマ分送られる毎に、ＣＣＤで露光範囲３０の画像を赤色、青色、緑色で３色分解測光し、得られる光電信号をＡ／Ｄ変換器１１０に送る。
【００６９】
Ａ／Ｄ変換器１１０は、各色の光電信号をデジタル変換することにより、露光範囲３０の画像を３色の画像データに変換する。３色の画像データは、画像メモリ１０７に書き込まれる。画像処理回路１０８は、画像メモリ１０７に１コマ分の画像データが書き込まれると、これを読み出してコントローラ１０９の制御によって所定の画像処理を行う。
【００７０】
この画像処理の際には、望遠切替品種データが検出された写真フイルム１８に対しては、色補正を行う他、撮影コマ毎に倍率マーク３８に応じたトリミング範囲を露光範囲３０からトリミングしこのトリミング範囲の大きさに応じたプリント倍率で拡大する。倍率マーク３８が０ビットの撮影コマに対しては通常処理を行い、露光範囲３０の全範囲をトリミング範囲として、この露光範囲３０をＨサイズの印画紙にほぼ一杯にプリントするための処理済画像データを作成する。また、倍率マーク３８が２ビットの撮影コマに対しては、２倍望遠処理を行い、面積比で露光範囲３０の１／４の２倍望遠トリミング範囲をＨサイズの印画紙にほぼ一杯にプリントするための処理済画像データを作成する。さらに、倍率マーク３８が１ビットの撮影コマに対しては、３倍望遠処理を行い、面積比で露光範囲３０の１／９の３倍望遠トリミング範囲をＨサイズの印画紙にほぼ一杯にプリントするための処理済画像データを作成する。
【００７１】
出力部１０２は、画像処理回路１０８からの処理済画像データが書き込まれる画像メモリ１１１，赤色、青色、緑色の各レーザ光を出力するレーザユニット１１２、このレーザユニット１１２の出力を画像メモリ１１１の処理済み画像データに基づいて制御するドライバ１１３，周知のポリゴンミラー１１４，Ｆθレンズ１１５、長尺のカラー印画紙１１６を搬送する搬送機構（図示せず）等から構成されている。
【００７２】
この出力部１０２により、カラー印画紙１１６がその長手方向に搬送されている間に、高速回転するポリゴンミラー１１４によるレーザ光の主走査と、カラー印画紙１１６の搬送による副走査とによって、カラー印画紙１１６に画像処理回路１０８で処理された画像が露光される。露光されたカラー印画紙１１６は、現像処理の後に１個の画像毎に切り分けられてプリント写真とされる。なお、カラー印画紙１１６としては、幅方向（搬送方向と直交する方向）の長さがＨサイズのプリント写真の短辺の長さと同じにされたものが用いられている。
【００７３】
次に上記構成の作用について説明する。図１に製造時からユーザへのプリント写真の返却までの流れを示すように、望遠倍率を切り替え可能なレンズ付きフイルムユニットに装填される写真フイルム１８には、その製造段階でＰＬＤトラック３２に品種データとして望遠切替品種データが磁気記録される。
【００７４】
望遠切替品種データが記録された写真フイルム１８は、カートリッジ１９とともに本体基部４０に装填される。そして、本体基部４０に後カバー４４等を組み付けてユニット本体２が完成し、このユニット本体２にラベル３が貼付されてレンズ付きフイルムユニットが完成する。このレンズ付きフイルムユニットが出荷されて、ユーザのもとで撮影に供される。
【００７５】
撮影を行う際には、まず巻き上げノブ１４を回動操作する。これにより、写真フイルム１８が１コマ分巻き上げられるとともに、シャッタチャージが行われる。また、撮影者は、操作つまみ９を操作して、被写体の種類や被写体距離，意図する作風に応じて、これを標準位置，２倍望遠位置，３倍望遠位置のいずれかの位置にセットし、所望とする撮影モードを選択する。
【００７６】
この操作つまみ９の操作により、視野切替板６３が回動され、ファインダ５の視野範囲が選択した撮影モードに応じた視野範囲となる。これにより、ファインダ５では、実際にプリント写真とされる撮影範囲を観察することができる。また、視野切替板６３の回動により、回動レバー７５を介してマーク切替板８０が選択した撮影モードに応じた位置にスライド移動される。撮影者は、ファインダ５を覗いてフレーミングを行った後に、シャッタボタン１０を押圧して撮影を行う。
【００７７】
なお、ストロボ撮影を行う必要がある場合には、充電操作レバー８をオン位置にスライド移動させて充電スイッチ５５をＯＮとしてから、表示用ライトガイド１２を介して表示用ＬＥＤ５８の点灯、すなわちメインコンデンサ５０の充電完了を確認した後に、シャッタボタン１０を押圧する。
【００７８】
シャッタボタン１０の押圧により、シャッタ機構４１ａが作動されてシャッタ羽根が開閉し撮影が行われる。また、このときにシャッタ羽根が全開すると、シンクロスイッチ５７がＯＮとなる。そして、このときに、充電操作レバー８がオン位置にされてメインコデンサ５０の充電が完了していれば、発光選択スイッチ５６がＯＮとなっているのでストロボ発光が行われる。シャッタ羽根が開いている間に、撮影レンズ４を透過した光は、アパーチャ４５を介して写真フイルム１８の乳剤面に達する。これにより、露光範囲３０の全域が露光される。
【００７９】
また、この撮影でシンクロスイッチ５７がＯＮとなると、ストロボ発光の有無にかかわらず、駆動回路９４の第１トランジスタ９４ａがＯＮとなって第２トランジスタ９４ｂがＯＮとなる。これにより、充電スイッチ５５がＯＦＦとなっていても、シンクロスイッチ５７がＯＮとなっている間にブロッキング発振回路が作動し、このときに生じる発振トランジスタ８８のコレクタ・エミッタ間電圧で写し込み用ＬＥＤ５９が発光する。
【００８０】
上記のようにして、発光ダイオード５９から放出された光は、写し込み用ライトガイ８３を介して各開口７９ａ，７９ｂに向けて照射される。これらの各開口７９ａ，７９ｂと写し込み用ライトガイ８３との間には、選択された撮影モードに応じた位置にマーク切替板８０がセットされているので、各開口７９ａ，７９ｂのうちの選択した撮影モードに応じて露呈された開口から写し込み用ＬＥＤ５９の光が写真フイルム１８の露光範囲３０の下側に達し、選択した撮影モードに応じたビット数の倍率マーク３８が光学マークエリア３７に写し込まれる。
【００８１】
このようにして、各撮影毎に撮影モードを選択しながら撮影を行い、全撮影コマの撮影終了後、ユーザは巻上げノブ１４を連続的に回動操作して、全ての写真フイルム１８をカートリッジ１９に収納する。そして、このレンズ付きフイルムユニットを現像所やＤＰＥ店に提出する。
【００８２】
現像所等では、ユニット本体２から撮影済の写真フイルムカートリッジ１７を取り出す。取り出された写真フイルムカートリッジ１７は、そのカートリッジ１９から写真フイルム１８が引き出されて分離される。そして、この写真フイルム１８は、所定の現像装置にかけられて現像処理された後、再びカートリッジ１９に収納されてから、このカートリッジ１９ごとデジタルプリンタにセットされる。デジタルプリンタは、カートリッジ１９がセットされると、現像済の写真フイルム１８を引き出して、これの先端をスキャナ１０６に向けて搬送する。
【００８３】
この搬送中に磁気ヘッド１０４により、写真フイルム１８の先端側に設けられたＰＬＤトラック３２，ＣＤＤトラック３６，ＣＬＤトラック３４が順次に読み取られ、この後に各撮影コマのＰＦＳＤトラック３３，ＣＦＳＤトラック３５が順番に読み取られて、これらの各磁気データトラックに磁気記録されている各種のデータがコントローラ１０９によって解読される。また、この搬送中に、現像処理により顕在化したバーコード２８，２９や光学マークエリア３７内の光学マーク（ＰＡＲマークまたは倍率マーク）がフォトセンサ１０５によって読み取られ、コントローラ１０９によって解読される。そして、この解読した各データおよびマークの情報に基づいてコントローラ１０９は、画像処理回路１０８を制御する。
【００８４】
図１１にデジタルプリンタでの処理手順を示すように、この画像処理回路１０８の制御の際に、コントローラ１０９は、ＰＬＤトラック３２に磁気記録されている品種データを調べ、この品種データが望遠切替品種データであるか否かを判断する。この場合の写真フイルム１８には、望遠切替品種データが磁気記録されているから、コントローラ１０９は、処理を開始した写真フイルム１８に対してはフォトセンサ１０５によって読み取られる光学マークエリア３７内の光学マークが倍率マーク３８として認識するように制御を切り換える。
【００８５】
写真フイルム１８の先端部の各磁気データトラックが読み取られてから、写真フイルム１８の第１番目の撮影コマがスキャナ１０６のフイルムキャリアにセットされるまでの間に、この撮影コマの光学マークエリア３７内の光学マーク、すなわち倍率マーク３８が光学リーダ１０５によって読み取られ、この倍率マーク３８がコントローラ１０９に記憶される。
【００８６】
そして、第１番目の撮影コマがフイルムキャリアにセットされると、ＣＣＤが作動される。これにより、第１番目の撮影コマの露光範囲３０の全範囲の画像が読み取られ、Ａ／Ｄ変換器１１０を介して３色の画像データとして画像メモリ１０７に書き込まれる。この後、画像処理回路１０８が画像メモリ１０７から画像データを読み出すとともに、コントローラ１０９は、先の倍率マーク３８の読み取り結果に基づいた指示を画像処理回路１０８に与える。
【００８７】
この指示により、画像処理回路１０８は、この第１番目の撮影コマの画像データから望遠倍率マークに応じたトリミング範囲を切り出して、このトリミング範囲の画像がＨサイズにプリントされるようにした処理済画像データを作成する。画像処理回路１０８は、３色の処理済み画像データを出力して、これを出力部１０２の画像メモリ１１１に書き込む。
【００８８】
処理済画像データが画像メモリ１１１に書き込まれると、この処理済画像データに基づいてレーザユニット１１２がドライバ１１３で駆動される。これにより、カラー印画紙１１６には、第１番目の撮影コマの倍率マーク３８に応じたトリミング範囲の画像がほぼＨサイズに拡大されて潜像として記録される。以下同様にして、各撮影コマの画像がスキャナ１０６で読み取られ、撮影コマ毎に記録されている倍率マーク３８に応じたトリミング範囲がほぼＨサイズに拡大されてカラー印画紙１１６に潜像として記録される。
【００８９】
上記のようにして露光されたカラー印画紙１１６の部分は、カラー用の現像処理工程に送られ、現像、定着、乾燥等が行われてから、各画像毎にＨサイズのプリント写真に切り分けられてデジタルプリンタから排紙される。得られたプリント写真は、写真フイルム１８とともにユーザに渡される。
【００９０】
例えば、操作つまみ９を標準位置にセットして撮影モードを標準モードにした場合には、切欠部７２が対物側窓６に対面した状態となる。したがって、ファインダ５では、図１２（ａ）に示すような焦点距離２４ｍｍの撮影レンズ４による撮影範囲に対応した標準視野範囲１２０内に被写体像を観察することができる。
【００９１】
そして、図１２（ａ）に示されるようにしてフレーミングを決定して撮影を行うと、図１２（ｂ）に示すように、写真フイルム１８にはファインダ５で観察された被写体像が露光範囲３０の全範囲に露光される。また、操作つまみ９が標準位置にセットされることに応じて、マーク切替板８０によって第１及び第２開口７９ａ，７９ｂが両方とも隠されているから、写し込み用ＬＥＤ５９が発光しても、光学マークエリア３７にはビットが記録されず、倍率マーク３８が０ビットとなる。
【００９２】
これにより、プリント時には、０ビットの倍率マーク３８にしたがって通常処理を行うから、露光範囲３０の全範囲をほぼＨサイズに引き伸ばすようにプリント倍率が設定され、このプリント倍率で露光範囲３０の全範囲が引き伸ばされてカラー印画紙１１６に露光される。したがって、図１２（ｃ）に示すように、焦点距離２４ｍｍの撮影レンズ４を用いて撮影したときの標準プリント写真１２１が得られる。
【００９３】
また、操作つまみ９を２倍望遠位置にセットして２倍望遠モードとした場合には、２倍望遠用フレーム枠７０が対物側窓６に対面した状態となるから、図１３（ａ）に示すように、ハッチングで示されるファインダ５の視野の周辺部分が隠されて、標準視野範囲１２０に対して面積比で１／４の中央部分だけが観察できる。すなわち、撮影レンズ４の２倍の焦点距離４８ｍｍの撮影レンズを用いた場合に相当する２倍望遠視野範囲１２２内に被写体像が観察される。なお、実際には、ハッチングの部分の像はファインダ５で観察されない。
【００９４】
図１３（ａ）に示されるようにしてフレーミングを決定して撮影を行うと、図１３（ｂ）に示すように、写真フイルム１８にはファインダ５で観察された２倍望遠視野範囲１２２内の被写体像と、２倍望遠用フレーム枠７２によって隠されていた周囲の像までが露光範囲３０の全範囲に露光される。すなわち、この場合にも焦点距離２４ｍｍの撮影レンズ４で撮影を行った場合と同じ状態に露光される。そして、２倍望遠視野範囲１２２内に観察された被写体像は、露光範囲３０内の中央部分に、この露光範囲３０と同じアスペクト比で、面積比１／４の２倍望遠トリミング範囲１２３に露光される。また、操作つまみ９が２倍望遠位置にセットされることに応じて、マーク切替板８０によって第１及び第２開口７９ａ，７９ｂが両方とも露呈されているから、写し込み用ＬＥＤ５９からの光によって光学マークエリア３７には、第１ビット３８ａと第２ビット３８ｂとからなる２ビットの倍率マーク３８が記録される。
【００９５】
プリント時には、２ビットの倍率マーク３８に基づいて２倍望遠トリミング範囲１２３をほぼＨサイズに引き伸ばすようにプリント倍率が設定された２倍望遠処理が行われ、２倍望遠トリミング範囲１２３が引き伸ばされてカラー印画紙１１６に露光される。すなわち、前述の標準プリント写真１２１の場合に対して、２倍のプリント倍率でカラー印画紙１１６に画像が露光される。これにより、図１３（ｃ）に示すように、焦点距離４８ｍｍの撮影レンズを用いて望遠撮影したときに相当した画像の大きさと画角の２倍望遠プリント写真１２４が得られる。
【００９６】
同様に、操作つまみ９を３倍望遠位置にセットして３倍望遠モードにした場合には、３倍望遠用フレーム枠７１によって、図１４（ａ）に示すように、ファインダ５では、標準視野範囲１２０に対して面積比で１／９の中央部分だけが観察でき、撮影レンズ４の３倍の焦点距離７２ｍｍの撮影レンズを用いた場合に相当する３倍望遠視野範囲１２５内に被写体像が観察される。
【００９７】
そして、図１４（ｂ）に示すように、３倍望遠用フレーム枠７１によって隠されていた周囲の像までが露光範囲３０の全範囲に露光され、観察された被写体像は、露光範囲３０と同じアスペクト比で、面積比１／９の３倍望遠トリミング範囲１２６に露光される。また、マーク切替板８０によって第１開口７９ａだけが露呈されるから、第１ビット３８ａだけの１ビットの倍率マーク３８が光学マークエリア３７内に記録される。プリント時には、この１ビットからなる倍率マーク３８に基づいて、３倍望遠処理が行われる。これにより、３倍望遠トリミング範囲１２６が引き伸ばされて、図１４（ｃ）に示すように、３倍望遠トリミング範囲１２６内の画像がほぼＨサイズに引き伸ばされる。結果、焦点距離７２ｍｍの撮影レンズを用いて望遠撮影したときに相当した画像の大きさと画角の３倍望遠プリント写真１２７が得られる。
【００９８】
なお、品種データとしての望遠切替品種データが検出されなかった写真フイルム１８の場合には、ＰＡＲマークエリア３７内の光学マークは、ＰＡＲマークとして認識されるので、そのビットの個数に応じてたアスペクト比が変更されたパノラマサイズ、またはＣサイズのプリント写真が作成され、ＰＡＲマークが０ビットの場合には、Ｈサイズの標準プリント写真が作成される。
【００９９】
上記実施形態では、視野切替板を用いてファインダの視野範囲を選択した撮影モードに応じた視野範囲としたが、例えば図１５に示すように、ファインダ視野範囲１３０内に、焦点距離２４ｍｍの撮影レンズに対応した撮影範囲を示す標準フレーム枠１３１ａと、焦点距離４８ｍｍの撮影レンズの撮影範囲を示す２倍望遠フレーム枠１３１ｂと、焦点距離７２ｍｍの撮影レンズの撮影範囲を示す３倍望遠フレーム枠１３１ｃとが観察できるようにしてもよい。さらには、操作つまみ９の操作に連動させて、ファインダ５の対物レンズを切り替える等の手法でファインダの視野範囲と観察される像の大きさを変えてもよい。
【０１００】
また、図１６に示すように、倍率マークを写し込むための駆動回路を構成してもよい。この駆動回路は、例えば、図１７に示すようにレンズ付きフイルムユニットの背面側に設けられた操作つまみ１３２に連動してＯＮ，ＯＦＦされる第１及び第２スイッチ１３３ａ，１３３ｂと、倍率マークの第１及び第２ビットの光源としての第１及び第２ランプ１３４ａ，１３４ｂと、シャッタ機構４１ａによってシャッタ羽根が全開したときにＯＮとなる写し込み用シンクロスイッチ１３５及び電池１３６とから構成されている。
【０１０１】
第１及び第２スイッチ１３３ａ，１３３ｂは、操作つまみ１３２が標準モードに対応した位置（「１×」）にセットされた場合には両方がＯＦＦとされ、また操作つまみ１３２が２倍望遠準モードに対応した位置（「２×」）にセットされた場合には、両方がＯＮとされる。さらに、操作つまみ１３２が３倍望遠準モードに対応した位置（「３×」）にセットされた場合には、第１スイッチ１３４ａだけがＯＮとされる。これにより、撮影者が操作つまみ１３２で選択した撮影モードに応じたビット数の倍率マークが光学マークエリア３７に写し込まれる。
【０１０２】
なお、この場合には、倍率マークの写し込み形態を変えるためのマーク切替機構は不要である。また、電池１３６としては、ストロボユニットの電池を用いてもよく、第１及び第２ランプ１３４ａ，１３４ｂの代わりに、２個のＬＥＤを使用してもよい。さらに、２個のランプを用いず、１個のランプあるいはＬＥＤを使用して、最初の実施形態と同じマーク切替機構を用いて倍率マークの写し込み形態を変えるようにしてもよい。なお、ＬＥＤを用いる場合で電池の出力電圧がＬＥＤを発光させるに必要な電圧に満たないときには、上記実施形態と同様な手法でＬＥＤを発光させるのに必要な電圧を得るか、起電力が３Ｖ程度の電池を用いて直接にＬＥＤを駆動する必要がある。
【０１０３】
次に、擬似的な望遠撮影だけを行うレンズ付きフイルムユニットの例について説明する。なお、以下に説明にする他の部分については、上記の実施形態と同様であり、実質的に同じ構成部材には、上記実施形態と同一の符号を付し、その詳細な説明を省略する。
【０１０４】
図１８に示すように、ラベル３には、３倍望遠撮影用のものであることを表した表示１３７が記されている。さらに、レンズ付きフイルムユニットの前面には、充電操作ボタン１３８が設けられており、この充電ボタン１３８を押圧操作することにより、ストロボ用の充電が行われる。そして、このレンズ付きフイルムユニットは、ＬＥＤあるいはネオン管の点灯をファインダ５の接眼部近傍に設けられた表示窓（図示省略）を介して観察できるようにすることで、充電完了を確認できるようにされ、またメインコンデンサの充電が完了しているときには必ずストロボ発光が行われるが、最初の実施形態と同様なものとしてもよい。撮影レンズ４としては、焦点距離２４ｍｍのものが用いられ、ファインダ５は、対物側窓１３９によって焦点距離７２ｍｍの撮影レンズによる撮影範囲に対応した３倍望遠視野範囲とされている。
【０１０５】
図１９に示すように、ユニット本体２は、本体基部４０，露光ユニット４１，ストロボユニット４２，前カバー４３、後カバー４４から構成され、ＩＸ２４０型式の写真フイルムカートリッジ１７が予め装填されている。また、このユニット本体２には、撮影モードを選択するための操作つまみ、視野切替板及びマーク露光手段は設けられていない。
【０１０６】
写真フイルム１８には、そのＰＬＤトラック３２に３倍望遠品種データが製造段階で磁気記録されている。この３倍望遠品種データがフイルムデータとされ、３倍望遠撮影用のレンズ付きフイルムユニットに特有なプリント条件に基づいたプリント写真を作成するため写真フイルムであることを間接的に表している。そして、この場合のプリント条件は、各撮影コマに対して露光範囲３０の面積比で１／９の３倍望遠トリミング範囲を引き伸ばしてＨサイズの３倍望遠プリント写真を作成することである。
【０１０７】
プリント写真を作成するためのプリンタとしては、図１０に示されるデジタルプリンタが用いられるが、ＰＬＤトラック３２からの品種データとして３倍望遠品種データを検出したときには、その写真フイルム１８の全ての撮影コマから３倍望遠プリント写真を作成するようにプログラムの追加・変更がされている。
【０１０８】
上記構成の作用について簡単に説明する。図２０に示すように、３倍望遠用のレンズ付きフイルムユニットに装填される写真フイルム１８は、その製造時に３倍望遠品種データがＰＬＤトラック３２に磁気記録される。完成したレンズ付きフイルムユニットで撮影を行う場合には、撮影者は、例えば図２１（ａ）に示すように、焦点距離７２ｍｍの撮影レンズの撮影範囲に応じたファインダ５の３倍望遠視野範囲１４０内にプリント写真にプリントしようとする被写体像の範囲を収めて撮影を行う。
【０１０９】
そして、シャッタボタン１０を押圧操作して撮影を行うと、図２１（ｂ）に示すように、３倍望遠視野範囲１４０内に観察されていた被写体像とともに、その周囲の像までが露光範囲３０の全範囲に露光され、観察された被写体像は、露光範囲３０と同じアスペクト比で、面積比１／９の３倍望遠トリミング範囲１２６に露光される。
【０１１０】
上記のようにして撮影を行い、この写真フイルムを現像処理後にデジタルプリンタにセットすると、デジタルプリンタの磁気ヘッド１０４によりＰＬＤトラック３２から３倍望遠品種データが読み出されるため、各撮影コマに対して３倍望遠処理が行われる。これにより、各撮影コマの露光範囲３０内の３倍望遠トリミング範囲１２６が引き伸ばされてプリントされるため、図２１（ｃ）に示すような３倍望遠プリント写真１４１が得られる。
【０１１１】
なお、この実施形態では、本体基部４０のアパーチャ４５を予め設定された露光範囲３０のサイズに合わせたものとしたが、図２３に示すように露光範囲３０に対して縦横１／３のアパーチャ１４２とし、本体基部４０を小型にすることもできる。このようにすれば、レンズ付きフイルムユニットをさらに小型化することができる。
【０１１２】
また、最初の実施形態と同じ望遠切替品種データを予め磁気記録しておくとともに、全ての撮影コマの光学マークエリアに第１ビットを予めサイドプリントしておくことで、３倍望遠プリント写真を作成できるようにしてもよい。
【０１１３】
上記実施形態では望遠倍率を３倍の例について説明したが、望遠倍率は、これに限らない。もちろん、各種の望遠倍率のレンズ付きフイルムユニットを混在させることも可能であり、最初の実施形態のものと混在させることも可能である。
【０１１４】
次に説明する実施形態は、プリント写真の作成時に、長方形の露光範囲の短辺及び長辺に沿った方向のプリント倍率を互いに異なるものとすることにより、画像を歪めて、例えば被写体の人物等を細長くスリムにしたプリント写真（以下、スリムプリント写真という）を作成するようにしたスリム切替型のレンズ付きフイルムユニットの例について説明する。なお、以下に説明にする他の部分については、最初の実施形態と同様であり、実質的に同じ構成部材には、上記実施形態と同一の符号を付し、その詳細な説明を省略する。
【０１１５】
図２３に示すように、レンズ付きフイルムユニットのラベル３には、スリム切替型であることを示す表示１５０が印刷されている。また、ラベル３には、操作つまみ９の位置を案内するための「標準」，「縦」，「横」といった表示１５１ａ〜１５１ｃが記されている。
【０１１６】
操作つまみ９をスライド操作して、各表示１５１ａ〜１５１ｃに示される標準位置，横スリム位置，縦スリム位置のそれぞれにセットすることによって、標準プリント写真が作成される標準モードと、横スリムモード，縦スリムモードを選択することができる。横スリムモードは、露光範囲３０の長辺に沿った方向のプリント倍率を短辺に沿った方向のものより小さくした横スリムプリント写真が、縦スリムモードは、プリント時に露光範囲３０の短辺に沿った方向のプリント倍率を長辺に沿った方向のものより小さくした縦スリムプリント写真がそれぞれ作成される。
【０１１７】
前カバー４３には、回転板（図示省略）が内蔵されている。この回転板は、ファインダ５の視野を規制するフレーム枠が設けられていない他は、最初の実施形態の視野切替板と同じである。このため、操作つまみ９の操作に連動して、回転板によって、光学マークエリア３７に写し込まれる光学マーク（以下、スリムマークという）の形態が変えられるが、ファインダ５の視野は、常に標準視野範囲とされている。
【０１１８】
横スリムプリント写真に対しては、図２６（ｂ）に示すように、スリムマーク１５２が第１ビット１５２ａと第２ビット１５２ｂとからなる２ビットに、また縦スリムプリント写真に対しては、図２７（ｂ）に示すように、スリムマーク１５２が第１ビット１５２ａだけからなる１ビットに、さらに標準プリント写真に対しては、スリムマーク１５２が０ビットに予め決められている。そして、これに応じて光学マークエリア３７に写し込まれるスリムマーク１５２の形態が、操作つまみ９のセットされた位置で変えられる。なお、このスリムマーク１５１は、プリント時に意味する情報が異なるだけであって、倍率マーク及びＰＡＲマークと実質的に同じである。
【０１１９】
このレンズ付きフイルムユニットに装填される写真フイルム１８には、そのＰＬＤトラック３２にスリム切替品種データが製造段階で磁気記録されている。このスリム切替品種データがフイルムデータとされ、スリム切替用のレンズ付きフイルムユニットに特有なプリント条件に基づいたプリント写真を作成するため写真フイルムであることを間接的に表している。そして、この場合のプリント条件は、各撮影コマの光学マークエリア３７に写し込まれたスリムマーク１５２に応じて、前述した各撮影モードのプリント倍率で標準プリント写真、横スリムプリント写真、縦スリムプリント写真を作成することである。
【０１２０】
このレンズ付きフイルムユニットの写真フイルム１８を扱うプリンタは、上記各実施形態のものと同様であるが、スリム切替品種データが検出されたときに、光学マークエリア３７内のスリムマーク１５２に応じて、標準プリント写真，横スリムプリント写真，縦スリムプリント写真とが作成可能なようにプログラムが変更・追加されている。
【０１２１】
このように構成された、レンズ付きフイルムユニットの作用について、図２４及び図２５を参照しながら簡単に説明する。スリム切替用のレンズ付きフイルムユニットに装填される写真フイルム１８は、その製造段階でスリム切替品種データがＰＬＤトラック３２に磁気記録され、カートリッジ１９とともにユニット本体４０に装填される。
【０１２２】
撮影時では、例えば、図２６（ａ）に示すように、ファインダ５で観察される長方形の標準視野範囲１５５を横長にした横構図でフレーミングして被写体として起立した人物を撮影する場合で、この被写体を上下方向（起立した方向）に伸張し、すなわち左右方向に縮め、この人物を本来のものよりも細長くスリムにする場合には、操作つまみ９を横スリム位置にセットして撮影を行う。図２６（ｂ）に示すように、ファインダ５で観察された被写体像は、露光範囲３０に露光され、光学マークエリア３７に２ビットのスリムマーク１５２が露光される。そして、この撮影コマがデジタルプリンタによってプリントされる際には、デジタルプリンタの磁気ヘッド１０４によって、ＰＬＤトラック３２からスリム切替品種データが検出されるから、このスリム切替品種データと２ビットのスリムマーク１５２とに基づいて横スリム処理が行われる。この横スリム処理では、露光範囲３０から横トリミング範囲がトリミングされ、この横トリミング範囲に対する露光範囲３０の短辺に沿った方向のプリント倍率を「１」としたときに、長辺に沿った方向のプリント倍率が例えば「０．９５」となるように設定される。結果として、図２６（ｃ）に示すように、プリント写真の短辺に沿った方向に人物が細長くスリムにされた横スリムプリント写真１５６が得られる。
【０１２３】
一方、図２７（ａ）に示すように、ファインダ５で観察される標準視野範囲１５５が縦長となるように縦構図で撮影し、被写体の起立した人物をスリムにしたプリント写真を作成したい場合には、操作つまみ９を操作して縦スリムモードを選択する。この操作の後に撮影を行うと、図２７（ｂ）に示すように、ファインダ５で観察された被写体像が露光されるとともに、光学マークエリア３７に１ビットのスリムマーク１５２が露光される。そして、この場合には、プリント時に、スリム切替品種データと１ビットのスリムマーク１５２とに基づいて、縦スリム処理が行われる。この縦スリム処理では、露光範囲３０から縦スリムトリミング範囲がトリミングされ、この縦トリミング範囲に対する露光範囲３０の短辺に沿った方向のプリント倍率を「１」としたときに、長辺に沿った方向のプリント倍率が例えば「０．９５」となるように設定される。結果として、図２７（ｃ）に示すように、プリント写真の長辺に沿った方向に人物が細長くスリムにされた縦スリムプリント写真１５７が得られる。
【０１２４】
なお、操作つまみ９を標準位置にセットした場合には、短辺及び長辺方向に沿ったプリント倍率が同じにされた標準プリント写真が作成される。また、図２６（ｃ）及び図２７（ｃ）は、スリムにされた画像を誇張して描いてある。
【０１２５】
上記実施形態では、いずれの撮影モードを選択してもファインダ５で観察される被写体像に変化はないが、例えば操作つまみの操作に連動させて、ファインダ５で観察される被写体像を縦方向、横方向に歪めるような２個のレンズを回転板１５０に設けてもよく、トリミングによってプリントされない部分を観察できないようにしてもよい。また、選択した撮影モードに応じた、マーク等をファインダ５で観察できるようにしてもよい。さらに、上記実施形態では、各スリムプリント写真には、露光範囲の一部がプリントされないが、露光範囲の全範囲がプリントされるようにしてもよい。
【０１２６】
また、全ての撮影コマから単一のスリムプリント写真、例えば横スリムプリント写真を作成するのであれば、特定の倍率の望遠撮影とだけを行うレンズ付きフイルムユニットと同様にして、横スリム撮影専用の品種データを書き込むようにしてもよい。
【０１２７】
上記各実施形態では、ＰＬＤトラックに各種の品種データを磁気記録し、この品種データをフイルムデータとしたが、フイルムデータを直接にＰＬＤトラックに磁気記録してもよい。また、プリント時に必ず読み取られるものであればＰＬＤトラックに限らず他の磁気データトラックでもよく、磁気記録する他にも、製造時に光学的にサイドプリントしてもよい。例えば、フイルムデータをバーコードで記録してもよく、バーコードに表される例えば製造ロット番号等をフイルムデータとして間接的にプリント条件等を表すようにすることもできる。さらに、フイルムデータを全撮影コマのＰＦＳＤトラックやＣＦＳＤトラックに予め磁気記録してもよい。
【０１２８】
また、上記各実施形態では、望遠切替，特定の望遠倍率，スリム切替のそれぞれの場合について説明したが、写真フイルムに記録されるフイルムデータによってそれぞれのプリント条件が判別可能であるから、これらの各種タイプのレンズ付きフイルムユニットを混在させることができるのはいうまでもない。また、プリント条件としては、プリント写真の色調の変更、プリント枚数の指定等のように様々なものを設定することが可能である。さらに、例えば特定の倍率の望遠品種データを写真フイルムに記録しておくとともに、光学マークエリアにＰＡＲマークを写し込むようにして、パノラマサイズやＣサイズの望遠プリント写真を作成することも可能である。
【０１２９】
さらには、光学マークエリアに写し込む光学マークに応じて撮影コマ毎に異なる種類のプリント条件を指定するようにすることもできる。例えば、光学マークが０ビットの場合には、標準プリント写真を作成し、１ビットの場合に２倍望遠プリント写真を作成し、２ビットの場合に横スリムプリント写真を作成するといったプリント条件を設定することも可能である。また、各撮影コマに共通なプリント条件の下で、このプリント条件と異なるプリント条件を撮影コマ毎の光学マークで指定するといったプリント条件を設定することができる。例えば共通のプリント条件を全ての撮影コマからはセピア色に調色したプリント写真を作成するものとし、各撮影コマ毎のプリント条件を光学マークに応じて２倍望遠や３倍望遠のプリント写真を作成するものとすれば、セピア調色された２倍望遠プリント写真や３倍望遠プリント写真を作成することができる。
【０１３０】
上記各実施形態では、プリント写真を作成する際にデジタルプリンタに代えて、照明された写真フイルム上の画像を投影レンズを介して印画紙に露光するプリンタを利用することも可能であるが、例えばスリムプリント写真を作成するような場合には、各種の付加装置が必要となりプリンタが複雑化してしまう。したがって、各種の画像処理を簡単に行うことができ、また様々なプリント条件に簡単に対応させることができるデジタルプリンタを用いるのがよい。
【０１３１】
【発明の効果】
以上説明したように、本発明のレンズ付きフイルムユニットによれば、写真フイルムとして、設定されたプリント条件に基づいたプリント写真を撮影コマから作成する写真フイルムであることを表すフイルムデータが予め記録されたものを用いることにより、レンズ付きフイルムユニットの構成を簡単にしながら、各種のプリント写真を作成することができる。また、設定された複数のプリント条件と写し込まれる光学マークに応じてプリント条件が決まることを表すフイルムデータが予め記録されたものを用い、プリント条件の選択操作でこれに応じた光学マークを写し込むようにしたから、レンズ付きフイルムユニットの構成を簡単にしながら、作成されるプリント写真のプリント条件を選択できる。
【０１３２】
また、本発明の、プリント写真作成方法によれば、写真フイルムから予め設定されたプリント条件に基づいたプリント写真を作成するための写真フイルムであることを直接的または間接的に表すフイルムデータ、あるいは予め設定された複数のプリント条件のうちで撮影コマ対して記録された光学マークに応じて決まる１つのプリント条件に基づいたプリント写真を撮影コマ毎に作成する写真フイルムであることを直接的または間接的に表すフイルムデータを検出した際には、この検出されたフイルムデータに応じたプリント条件でプリント写真を作成するようにしたから、多様なプリントサービスを可能にしながらプリント処理における作業性が高くなる。
【図面の簡単な説明】
【図１】本発明の一実施形態を示す流れ図である。
【図２】レンズ付きフイルムユニットの外観図である。
【図３】写真フイルムカートリッジの外観を示す斜視図である。
【図４】写真フイルムを伸ばした状態を示す説明図である。
【図５】光学マークエリアに写し込まれる光学マークを示す説明図である。
【図６】レンズ付きフイルムユニットを分解して示す分解斜視図である。
【図７】前カバーに組み込まれた視野切替板を示す分解斜視図である。
【図８】マーク切替機構を示す分解斜視図である。
【図９】ストロボ回路に組み込まれた写し込み用ＬＥＤの駆動回路を示す回路図である。
【図１０】デジタルプリンタの構成を示すブロック図である。
【図１１】デジタルプリンタでの処理を示すフローチャートである。
【図１２】標準モードの選択したときのファインダ、露光範囲，プリント写真を示す説明図である。
【図１３】２倍望遠モードの選択したときのファインダ、露光範囲，プリント写真を示す説明図である。
【図１４】３倍望遠モードの選択したときのファインダ、露光範囲，プリント写真を示す説明図である。
【図１５】各撮影モードに対応したフレーム枠が観察されるようにした例を示す説明図である。
【図１６】写し込み用ＬＥＤの駆動回路の別の例を示す回路図である。
【図１７】図１６の例における操作つまみを示す斜視図である。
【図１８】３倍望遠用のレンズ付きフイルムユニットの例を示す斜視図である。
【図１９】図１８のレンズ付きフイルムユニットを分解して示す分解斜視図である。
【図２０】図１８の例における実施形態を示す流れ図である。
【図２１】図１８の例のファインダ、露光範囲，プリント写真を示す説明図である。
【図２２】アパーチャのサイズを小さくした例を示すものである。
【図２３】スリムプリント写真を作成できるレンズ付きフイルムユニットの例を示す斜視図である。
【図２４】図２３の例における実施形態を示す流れ図である。
【図２５】図２３の例のデジタルプリンタでの処理を示すフローチャートである。
【図２６】横スリムモード時のファインダ、露光範囲，プリント写真を示す説明図である。
【図２７】縦スリムモード時のファインダ、露光範囲，プリント写真を示す説明図である。
【符号の説明】
９  操作つまみ
１８  写真フイルム
３０  露光範囲
３２〜３６  磁気データトラック
３７  光学マークエリア
３８，１５２  光学マーク
４５，１４２  アパーチャ
５９  写し込み用ＬＥＤ
６３  視野切替板
８０  マーク切替板
９４  駆動回路
１０４  磁気ヘッド
１０５  フォトセンサ
【図１】
0003766537.tif 000002
【図２】
0003766537.tif 000003
【図３】
0003766537.tif 000004
【図４】
0003766537.tif 000005
【図５】
0003766537.tif 000006
【図６】
0003766537.tif 000007
【図７】
0003766537.tif 000008
【図８】
0003766537.tif 000009
【図９】
0003766537.tif 000010
【図１０】
0003766537.tif 000011
【図１１】
0003766537.tif 000012
【図１２】
0003766537.tif 000013
【図１３】
0003766537.tif 000014
【図１４】
0003766537.tif 000015
【図１５】
0003766537.tif 000016
【図１６】
0003766537.tif 000017
【図１７】
0003766537.tif 000018
【図１８】
0003766537.tif 000019
【図１９】
0003766537.tif 000020
【図２０】
0003766537.tif 000021
【図２１】
0003766537.tif 000022
【図２２】
0003766537.tif 000023
【図２３】
0003766537.tif 000024
【図２４】
0003766537.tif 000025
【図２５】
0003766537.tif 000026
【図２６】
0003766537.tif 000027
【図２７】
0003766537.tif 000028